(57)【特許請求の範囲】
【請求項１】
処理槽に排水を導く横主管の内部に堆積されたゴミを除去するために設けられる横主管用掃除口構造であって、
前記横主管の周壁における上側部位に開口する掃除口と、
該掃除口を開口可能に閉塞する蓋体と、
前記蓋体の外周縁を前記掃除口の周縁に当接させつつ、前記蓋体によって前記掃除口を閉塞させた状態で、前記蓋体を前記横主管の外周面側に押圧して取り付ける締結手段と、
前記掃除口の周縁に配設されて、前記掃除口の閉塞時における前記蓋体の外周縁の位置決めを可能とする位置決め用目印と、
を備えて構成され、
前記蓋体の外周縁を、前記位置決め用目印を基準に、位置決めしつつ、前記掃除口の周縁に当接させて、前記蓋体によって前記掃除口を閉塞させた状態で、前記締結手段を締め付けて前記蓋体を前記横主管の外周面側に押圧することにより、前記掃除口が閉塞される構成とし、
前記掃除口が、既設の前記横主管に形成される構成として、
前記位置決め用目印が、既設の前記横主管に貼着させる型紙シートに配設されるとともに、
前記型紙シートが、既設の前記横主管に前記掃除口を孔開け加工する際の孔開け位置を規定する孔開け用目印、を備えて構成されていることを特徴とする横主管用掃除口構造。
【請求項２】
前記締結手段が、前記横主管の周方向に沿って配置されて、前記蓋体とともに前記横主管の外周面側に当接させ、かつ、内周面を縮径可能な円環状の複数のクランプ、から構成されるとともに、
該クランプが、それぞれ、ヒンジで相互に連結された半割り円筒状の一対の把持杆を備えるとともに、一対の把持杆におけるヒンジから離れた開放端側相互をねじ止めして、内周側を縮径させるヒンジクランプから、構成されていることを特徴とする請求項１に記載の横主管用掃除口構造。
【請求項３】
処理槽に排水を導く横主管の内部に堆積されたゴミを除去するために設けられる横主管用掃除口構造の敷設方法であって、
前記横主管用掃除口構造が、
前記横主管の周壁における上側部位に開口する掃除口と、
該掃除口を開口可能に閉塞する蓋体と、
前記蓋体の外周縁を前記掃除口の周縁に当接させつつ、前記蓋体によって前記掃除口を閉塞させた状態で、前記蓋体を前記横主管の外周面側に押圧して取り付ける締結手段と、
前記掃除口の周縁に配設されて、前記掃除口の閉塞時における前記蓋体の外周縁の位置決めを可能な位置決め用目印と、
を備えて構成され、
前記蓋体の外周縁を、前記位置決め用目印を基準に、位置決めしつつ、前記掃除口の周縁に当接させて、前記蓋体によって前記掃除口を閉塞させた状態で、前記締結手段を締め付けて前記蓋体を前記横主管の外周面側に押圧することにより、前記掃除口が閉塞される構成として、
前記掃除口が、既設の前記横主管に形成される構成とし、
前記位置決め用目印が、既設の前記横主管に貼着させる型紙シートに配設されるとともに、
前記型紙シートが、既設の前記横主管に前記掃除口を孔開け加工する際の孔開け位置を規定する孔開け用目印、を備えて構成され、
前記横主管に前記掃除口を形成する際、前記横主管に前記型紙シートを貼着させ、ついで、前記型紙シートの孔開け用目印を基準として、前記位置決め用目印を残した状態で、前記横主管に孔開け加工して、前記掃除口を形成することを特徴とする横主管用掃除口構造の敷設方法。
【請求項４】
前記締結手段が、前記横主管の周方向に沿って配置されて、前記蓋体とともに前記横主管の外周面側に当接させ、かつ、内周面を縮径可能な円環状の複数のクランプ、から構成されるとともに、
該クランプが、それぞれ、ヒンジで相互に連結された半割り円筒状の一対の把持杆を備えるとともに、一対の把持杆におけるヒンジから離れた開放端側相互をねじ止めして、内周側を縮径させるヒンジクランプから、構成されていることを特徴とする請求項３に記載の横主管用掃除口構造の敷設方法。
【発明の詳細な説明】
【技術分野】
【０００１】
本発明は、高層の集合住宅等の処理槽に排水を導く横主管内に堆積されたゴミ（特に、卵や貝の殻）を、除去するために設けられる横主管用掃除口構造とその敷設方法に関する。
【背景技術】
【０００２】
従来、高層集合住宅等では、家庭内の生ゴミは、ディスポーザにより粉砕して、台所流し系統の排水とともに、処理槽に流入させ、そして、処理槽において、曝気処理・沈殿処理等を行って、下水に流していた（例えば、特許文献１参照）。
【先行技術文献】
【特許文献】
【０００３】
【特許文献１】特開２００９−１８９９１７号公報
【発明の概要】
【発明が解決しようとする課題】
【０００４】
しかし、ディスポーザで粉砕したゴミの内、卵・貝・蟹等の殻（これらを総称して卵殻とする）が含まれていると、排水立て管を経た後における処理槽に至るまでの横主管の部位で、卵殻が堆積することが避けられず、横主管の排水性能を低下させたり、横主管を詰まらせてしまう場合があった。
【０００５】
なお、ディスポーザを設けた台所流し系統の配管の清掃においては、例えば、横主管に連なる排水枡付近から、後方噴射ノズルを横主管内に挿入し、後方噴射ノズルから噴射する洗浄水を利用して、横主管内を洗浄し、ついで、横主管に連なる台所流し系統の所定数の排水立て管内に、排水立て管に設けた掃除口から前方噴射ノズルを挿入し、前方噴射ノズルから噴射する洗浄水を利用して、排水立て管を洗浄する。その後、再度、排水枡付近から、後方噴射ノズルを横主管内に挿入し、後方噴射ノズルから噴射する洗浄水を利用して、横主管内を洗浄して、ディスポーザを設けた台所流し系統の配管の清掃を行っていた。
【０００６】
しかし、上記のように、横主管内に挿入した噴射ノズルから洗浄水を流しても、あるいは、横主管より排水の上流側となる排水立て管等の掃除口の部位から洗浄水を流しても、ヘドロ状の物質が流されるだけで、堆積された卵殻自体は、サラサラとなった状態で、横主管内に堆積された状態を維持することとなり、簡単に、横主管から排出させ難く、横主管を詰まらせたり、横主管の排水性能を低下させる事態を招き易かった。
【０００７】
本発明は、上述の課題を解決するものであり、処理槽に至るまでの横主管内に堆積するゴミを円滑に除去できる横主管用掃除口構造とその敷設方法を提供することを目的とする。
【課題を解決するための手段】
【０００８】
本発明に係る横主管用掃除口構造では、処理槽に排水を導く横主管の内部に堆積されたゴミを除去するために設けられる横主管用掃除口構造であって、
横主管の周壁における上側部位に開口する掃除口と、
掃除口を開口可能に閉塞する蓋体と、
蓋体の外周縁を掃除口の周縁に当接させつつ、蓋体によって掃除口を閉塞させた状態で、蓋体を横主管の外周面側に押圧して取り付ける締結手段と、
掃除口の周縁に配設されて、掃除口の閉塞時における蓋体の外周縁の位置決めを可能とする位置決め用目印と、
を備えて構成され、
蓋体の外周縁を、位置決め用目印を基準に、位置決めしつつ、掃除口の周縁に当接させて、蓋体によって掃除口を閉塞させた状態で、締結手段を締め付けて蓋体を横主管の外周面側に押圧することにより、掃除口が閉塞される構成とし、
前記掃除口が、既設の前記横主管に形成される構成として、
前記位置決め用目印が、既設の前記横主管に貼着させる型紙シートに配設されるとともに、
前記型紙シートが、既設の前記横主管に前記掃除口を孔開け加工する際の孔開け位置を規定する孔開け用目印、を備えて構成されていることを特徴とする。
【０００９】
本発明に係る横主管用掃除口構造では、ゴミを除去する際、締結手段を緩めて、蓋体を横主管から外せば、掃除口を開口させることができる。そして、掃除口は、横主管の周壁における上側部位に開口されており、横主管内に排水自体が残っていても、その排水を溢れ出させず、すなわち、周囲を水浸しすること無く、ゴミを除去することが可能となる。なお、ゴミの除去には、掃除口から挿入するバキュームホースの吸引を利用したり、あるいは、手やスコップ等を利用して、ゴミを掬ったりして、行うことができる。
【００１０】
そして、ゴミの除去後は、蓋体の外周縁を、位置決め用目印を利用して位置決めしつつ、掃除口の周縁に当接させ、蓋体によって掃除口を閉塞させた状態で、締結手段を締め付けて、蓋体を横主管の外周面側に押圧させれば、掃除口を、精度良く配置された蓋体によって、的確に閉塞させることができて、その後に、各住居からの排水が集合されて横主管を通過することとなっても、円滑に、処理槽まで排水を導くことができる。なお、掃除口は、横主管の周壁における上側部位に開口されており、蓋体を横主管の外周面側に押圧する際、単に、蓋体を下方に押圧するだけでも、蓋体の外周縁を、容易に、掃除口の周縁となる横主管の外周面側に押圧することができて、蓋体による掃除口の閉塞状態を、安定して確保することができる。
【００１１】
したがって、本発明に係る横主管用掃除口構造では、処理槽に至るまでの横主管内に堆積するゴミを円滑に除去でき、また、除去後には、円滑に、処理槽まで排水を導くことができる。
【００１２】
そして、本発明に係る横主管用掃除口構造では、掃除口を、既設の横主管に形成する構成として、
位置決め用目印を、既設の横主管に貼着させる型紙シートに配設するとともに、
型紙シートに、既設の横主管に掃除口を孔開け加工する際の孔開け位置を規定する孔開け用目印、を設けて構成されている。
【００１３】
このような構成では、既設の横主管に掃除口を形成する際、横主管の上側部位に型紙シートを貼着させ、ついで、型紙シートの孔開け用目印を基準として、位置決め用目印を残した状態で、横主管に孔開け加工して、掃除口を形成すれば、既設の横主管に対し、掃除口と、蓋体を配置させる際の位置決め用目印と、を、容易に設けることができる。
【００１４】
そして、上記のような横主管用掃除口構造の敷設方法では、横主管に掃除口を形成する際の孔開け位置の案内と、開口した掃除口を蓋体で閉塞する際の蓋体の位置決めと、を一枚の型紙シートを利用して、簡単に行え、既設の横主管に、製造コスト・工数を低減して、横主管用掃除口構造を敷設することができる。
【００１５】
さらに、上記のような横主管用掃除口構造とその敷設方法では、型紙シートを利用して、既設の横主管に、ゴミを除去できる掃除口を、卵殻の堆積しやすい箇所に、的確に、配置させることができて、既設の集合住宅における処理槽への卵殻の流入や横主管の詰まりを、容易に、防止することができる。
【００１６】
さらにまた、上記のような横主管用掃除口構造とその敷設方法では、型紙シートを掃除口を設ける横主管の上側部位に貼着させ、そして、型紙シートの孔開け用目印を基準として、横主管の上側部位に掃除口を開口させることから、孔開け加工時、極めて多量の排水が横主管を流れない限り、孔開け中の掃除口から排水が溢れ出ることは無く、高層集合住宅等において、断水せずに、掃除口構造を敷設することも、可能となる。
【００１７】
そして、本発明に係る横主管用掃除口構造とその敷設方法では、締結手段は、横主管の周方向に沿って配置されて、蓋体とともに横主管の外周面側に当接させ、かつ、内周面を縮径可能な円環状の複数のクランプ、から構成するとともに、
クランプを、それぞれ、ヒンジで相互に連結された半割り円筒状の一対の把持杆を備えるとともに、一対の把持杆におけるヒンジから離れた開放端側相互をねじ止めして、内周側を縮径させるヒンジクランプから、構成することが望ましい。
【００１８】
このような構成では、各ヒンジクランプが、一対の把持杆の開放端側相互を、スペーサを間にして、あるいは、直接、当接させるように、ねじ止めすれば、縮径に伴う蓋体の外周縁における掃除口の周縁への圧接力を、配置された各部位で均等にできて、その結果、各ヒンジクランプに締め付けられた蓋体が、安定した水密性能を発揮して、掃除口を閉塞することができる。
【図面の簡単な説明】
【００１９】
【図１】本発明の一実施形態の掃除口構造が敷設される部位を説明する概略斜視図である。
【図２】実施形態の掃除口構造が敷設される部位を説明する概略平面図である。
【図３】実施形態の掃除口構造を説明する概略部分正面図である。
【図４】実施形態の掃除口構造の概略断面図であり、図３のIV−IV部位に対応する。
【図５】実施形態に使用する掃除口の閉塞状態を説明する図である。
【図６】実施形態に使用する型紙シートの平面図である。
【図７】実施形態の掃除口構造を敷設する工程を説明する図である。
【図８】実施形態の掃除口を開口させて卵殻を除去する作業を説明する図である。
【発明を実施するための形態】
【００２０】
以下、本発明の一実施形態を図面に基づいて説明すると、実施形態の掃除口構造Ｓが敷設される部位（敷設部位）１３は、図１，２に示すように、台所流しにディスポーザを備えた高層集合住宅１の横主管８の部位であって、この横主管８の敷設部位１３は、各戸でのディスポーザで粉砕したゴミを流すこととなる台所流し系統の専用の部位であって、台所流し系統専用の複数の排水用立て管３からの排水が集合される部位であり、そして、その排水が集合されてから処理槽５に流れるまでの部位としている。さらに、実施形態の場合、横主管８の掃除口構造Ｓを設けた敷設部位１３は、高層集合住宅１の配管ピット２のエリアに、設けられて、エントランスＥ付近から鉛直方向の下方に流下し、そして、屈曲されて水平方向に排水を流す際のその屈曲部位７の近傍で、卵殻Ｃ（図８参照）が堆積し易いエリアに配置されている。なお、図１の符号４は、脚部継手、図２の符号６は、排水桝である。
【００２１】
そして、実施形態の掃除口構造Ｓは、図３〜５に示すように、横主管８に開口する掃除口１５と、掃除口１５を開口可能に閉塞する蓋体２１と、掃除口１５を閉塞する蓋体２１を横主管８に締結するための締結手段２４と、を備えて構成されている。さらに、掃除口構造Ｓは、掃除口１５の周縁１４に配設されて、掃除口１５の閉塞時における蓋体２１の外周縁２１ａの位置決めを可能とする位置決め用目印１９、を備えて構成されている。
【００２２】
横主管８は、呼び径を１２５〜２００φ程度としたパイプ材から形成されている。実施形態の場合、横主管８は、呼び径を１５０φとした塩ビ管が使用されている。そして、掃除口１５は、図３〜５，７に示すように、横主管８の周壁９における横主管８の中心Ｏより高い位置となる上側部位１１（図４参照）、に設けられて、横主管８の軸方向ＡＤに沿って延びるような略長方形（略長円形）に開口している。
【００２３】
この掃除口１５は、図５のＡに示すように、横主管８の軸直交断面において、横主管８の中心Ｏの直上部位１１ａを中央とし、かつ、横主管８の中心Ｏからの開口角度θを、９０〜１２０°の範囲内として、開口されている。実施形態の場合、開口角度θは約１００°としている。
【００２４】
この開口角度θは、開口させた掃除口１５を利用して、ゴミを吸引したり掬ったりする清掃作業を行い易い開口幅Ｂを確保できるように、９０°以上とし、かつ、締結手段２４としてのクランプ２５を利用して、蓋体２１を横主管８の外周面１０に押圧する際、蓋体２１の外周縁２１ａにおける両縁側の下縁２１ａｂ，２１ａｂが、円滑に、掃除口１５の周縁１４に押圧されるように、１２０°以下として、設定されている。
【００２５】
また、掃除口１５の前後方向の長さ寸法Ｌ２（図８参照）は、短かすぎてはゴミの清掃作業が行い難く、長すぎては蓋体２１の閉塞性能を低下させる虞れも生ずることから、長すぎない範囲で、開口幅Ｂより大きくすることが望ましい。ちなみに、実施形態の場合、長さ寸法Ｌ２を２２０ｍｍとし、開口幅Ｂを１１３ｍｍとしている。
【００２６】
さらに、横主管８における掃除口１５の周縁１４には、閉塞時の蓋体２１の配置位置を規定するための位置決め用目印１９が配設されている。実施形態の場合、位置決め用目印１９は、長方形状の型紙シート１７の外周縁１７ａから形成され、蓋体２１による掃除口１５の閉塞時には、蓋体２１の外周縁２１ａの全周をを、位置決め用目印１９の内側に配置させるように位置決めしつつ、蓋体２１を配置させることとなる。
【００２７】
なお、実施形態の場合、掃除口１５は、横主管８自体と、貼着された型紙シート１７とを貫通するように配設され、蓋体２１の外周縁２１ａが当接する掃除口１５の周縁１４は、実際には、型紙シート１７自体の掃除口１５の周縁１４としている。
【００２８】
型紙シート１７は、蓋体２１の閉塞時の位置決めを行う位置決め用目印１９を備えるとともに、既設の横主管８に、掃除口１５を孔開け加工する際の孔開け位置を規定するものであり、図６に示すように、長方形状として、上面側に、孔開け用目印１８を設けている。孔開け用目印１８は、一部を相互に重ねて型紙シート１７の長手方向に並設させた二個の円弧マーク１８ａ，１８ａと、円弧マーク１８ａ，１８ａの重複部分の幅方向の両縁側に位置する三角状マーク１８ｃ，１８ｃと、から構成されている。型紙シート１７は、耐水性を有したポリプロピレン、ポリエチレン、塩化ビニル等の合成樹脂、布、紙等のシート材から形成されて、裏面側に横主管８の周壁９に貼着（接着）可能な粘着材が配設されている。
【００２９】
さらに、型紙シート１７には、上面側の周縁に、横主管８への貼着時に位置決めをする貼着用目印１７ｂ，１７ｃが形成されている。実施形態の場合、各貼着用目印１７ｂ，１７ｃは、周縁の各辺の中央位置に、短い線状に描かれている。
【００３０】
この型紙シート１７を使用して、既設の横主管８に掃除口１５を形成する際には、まず、図７のＡの実線に示すように、掃除口１５を設ける横主管８の敷設部位１３に、型紙シート１７の貼着用目印１７ｂ，１７ｃに対応した中心線等の貼着用目印３２（図例の場合は中心線である）を描き、ついで、図７のＢに示すように、裏面側の所定の離型紙を剥がして、粘着材層を露出させ、貼着用目印１７ｂ，３２相互を一致させつつ、型紙シート１７を横主管８の敷設部位１３に貼着する。ついで、図７のＣ，Ｄに示すように、ホルソＴ等の孔開け加工機により、掃除口１５を開口させる。その際、型紙シート１７の上面側には、孔開け用目印１８の二つの円弧マーク１８ａ，１８ａが形成されており、それらの中心１８ｂを基準に、ホルソＴを利用して、二つの円弧マーク１８ａ，１８ａに沿った円形の開口を開け、ついで、二つの三角状マーク１８ｃの部位を、電動サンダー等で削れば、略長円形に開口した掃除口１５を形成することができる。なお、円弧状マーク１８ａ内の切り取られた部位は、ホルソＴに付着されることから、横主管８内に落下せず、また、三角状マーク１８ｃの切り取られる部位も、予め、ガムテープ等の連結材によって周囲の部位と連結させておけば、切り取り後に、連結材を利用して、落下した横主管８内から引き上げることができて、掃除口１５の孔開け加工時に、切り取られる残材を横主管８内に放置することを防止できる。
【００３１】
蓋体２１は、掃除口１５を閉塞可能な半割り円筒状に形成されて、横主管８と同様に、塩化ビニルから形成されている。蓋体２１は、下面２１ｂの全域に、クロロプレン等のシールゴム２２を固着させている。そして、実施形態の場合、蓋体２１は、外径寸法を横主管８と同一とし、かつ、肉厚を横主管８より薄肉とした塩ビ管から、掃除口１５を閉塞可能な大きさとして、切り出して、形成されている。そのため、掃除口１５への蓋体２１の配置当初、図５のＡに示すように、蓋体２１は、横主管８から浮き上がった状態として配置され、その後、締結手段２４としてのクランプ２５によって締め付けた際に、図５のＢ，Ｃに示すように、蓋体２１の外周縁２１ａのシールゴム２２が、掃除口１５の周縁１４に、圧接されることとなる。なお、実施形態の場合、蓋体２１の長さ寸法Ｌ１（図８参照）は、掃除口１５の長さ寸法Ｌ２より大きな２８０ｍｍとしている。また、掃除口１５を適正に閉塞した状態では、蓋体２１は、その外周縁２１ａの全周を、位置決め用目印１９の内側で、かつ、位置決め用目印１９から略均等な距離を開けて、配置されることとなる。
【００３２】
締結手段２４は、蓋体２１を横主管８に取り付けるものであり、複数（実施形態では蓋体２１の前後両端付近に配置させる２個）のクランプ２５から構成されている。各クランプ２５は、横主管８の周方向ＣＤに沿って配置されて、蓋体２１とともに横主管８の外周面１０側に当接させ、かつ、内周面を縮径可能な円環状としている。さらに、実施形態の場合、クランプ２５は、ヒンジクランプとして、ヒンジ２６で相互に連結された半割り円筒状の一対の板金製の把持杆２７，２８を備えるとともに、一対の把持杆２７，２８におけるヒンジ２６から離れた開放端２７ａ，２８ａ側相互をねじ２９止めして、内周側を縮径させるように構成されている。開放端２７ａ側には、ねじ２９に対応するナット３０が配置されている。
【００３３】
また、各クランプ２５には、把持杆２８の開放端２８ａ側における開放端２７ａ側の面に、スペーサ３１が配設されている。このスペーサ３１は、ねじ２９止め時における開放端２７ａ，２８ａ相互の離隔距離を一定にするためのものである。そして、実施形態の場合、ねじ２９の開口端２８ａ側からの脱落を防止可能に、スペーサ３１は、ねじ２９に螺合するナットから形成され、ねじ２９を回転可能として、開放端２８ａをスペーサ３１とねじ２９の頭部２９ａとの間で挟持するように、配設されている（図４の二点鎖線参照）。
【００３４】
実施形態の掃除口構造Ｓでは、卵殻（ゴミ）Ｃを除去する際、締結手段２４としてのクランプ２５のねじ２９を緩めて、蓋体２１を横主管８から外せば、図８のＡに示すように、掃除口１５を開口させることができる。そして、掃除口１５は、横主管８の周壁９における上側部位１１に開口されており、横主管８内に排水自体が残っていても、その排水を溢れ出させず、すなわち、周囲を水浸しすること無く、堆積した卵殻Ｃを除去することが可能となる。なお、卵殻Ｃの除去には、掃除口１５から挿入するバキュームホースＶＨの吸引を利用したり、あるいは、手やスコップ等を利用して、卵殻Ｃを掬ったりして、行うことができる。なお、バキュームホースＶＨを利用する清掃では、掃除口１５が小さな開口としていても、容易に、横主管８の下側部位１２に堆積した卵殻Ｃを、吸引して除去することができる（図８のＢ参照）。
【００３５】
そして、卵殻Ｃの除去後は、蓋体２１の外周縁２１ａを、位置決め用目印１９を利用して位置決めしつつ、掃除口１５の周縁１４に当接させ、蓋体２１によって掃除口１５を閉塞させた状態で、ナット３０を利用して、ねじ２９締めし、締結手段２４としてのクランプ２５を締め付けて、蓋体２１を横主管８の外周面１０側に押圧させれば、掃除口１５を、精度良く配置された蓋体２１によって、的確に閉塞させることができて、その後に、各住居からの排水が集合されて横主管８を通過することとなっても、円滑に、処理槽５まで排水を導くことができる。なお、掃除口１５は、横主管８の周壁９における上側部位１１に開口されており、蓋体２１を横主管８の外周面１０（掃除口１５の周縁１４）側に押圧する際、単に、蓋体２１を下方に押圧するだけでも、蓋体２１の外周縁２１ａを、容易に、掃除口１５の周縁１４となる横主管８の外周面１０側に押圧することができて、蓋体２１による掃除口１５の閉塞状態を、安定して確保することができる。
【００３６】
したがって、実施形態の横主管用の掃除口構造Ｓでは、処理槽５に至るまでの横主管８内に堆積するゴミＣを円滑に除去でき、また、除去後には、円滑に、処理槽５まで排水を導くことができる。
【００３７】
なお、実施形態では、掃除口１５を、横主管８の軸直交断面において、横主管８の中心Ｏの直上部位１１ａに配置させた場合を示したが、開口時の掃除口１５から排水が溢れ出ないように、掃除口１５の全域が、横主管８の軸直交断面における横主管８の中心Ｏより上方となる上側部位１１に、配設されれば、掃除口１５は、横主管８の軸直交断面において、直上部位１１ａから周方向ＣＤにずれて、中心Ｏから斜め上方向となる位置に、配設させてもよい。
【００３８】
そして、実施形態の横主管用の掃除口構造Ｓでは、掃除口１５が、既設の横主管８に形成される構成として、位置決め用目印１９を、既設の横主管８の上側部位１１に貼着させる型紙シート１７に配設するとともに、この型紙シート１７には、既設の横主管８に掃除口１５を孔開け加工する際の孔開け位置を規定する孔開け用目印１８が、を設けられている。
【００３９】
すなわち、このような構成では、既設の横主管８に掃除口１５を形成する際、まず、図７のＡに示すように、横主管８の敷設部位１３に貼着用目印３２を付け、図７のＢに示すように、貼着用目印１７ｂ，３２相互を合わせつつ、横主管８に型紙シート１７を貼着させる。ついで、図７のＣ，Ｄに示すように、型紙シート１７の孔開け用目印１８を基準として、位置決め用目印１９を残した状態で、横主管８に孔開け加工して、掃除口１５を形成すれば、既設の横主管８に対し、掃除口１５と、蓋体２１を配置させる際の位置決め用目印１９と、を、容易に設けることができる。
【００４０】
そして、上記のような掃除口構造Ｓの敷設方法では、横主管８に掃除口１５を形成する際の孔開け位置の案内と、開口した掃除口１５を蓋体２１で閉塞する際の蓋体２１の位置決めと、を一枚の型紙シート１７を利用して、簡単に行え、既設の横主管８に、製造コスト・工数を低減して、横主管用の掃除口構造Ｓを敷設することができる。
【００４１】
さらに、上記のような横主管用掃除口構造とその敷設方法では、型紙シート１７を利用して、ゴミを除去できる掃除口１５を、既設の横主管８における卵殻Ｃの堆積しやすい箇所（例えば、水平曲り部位の近傍）に、的確に、配置させることができて、既設の集合住宅１における処理槽５への卵殻Ｃの流入や横主管８の詰まりを、容易に、防止することができる。
【００４２】
さらにまた、上記のような横主管用掃除口構造とその敷設方法では、型紙シート１７を掃除口１５を設ける横主管８の上側部位１１に貼着させ、そして、型紙シート１７の孔開け用目印１８を基準として、横主管８の上側部位１１に掃除口１５を開口させることから、孔開け加工時、極めて多量の排水が横主管８を流れない限り、孔開け中の掃除口１５から排水が溢れ出ることは無く、高層集合住宅１等において、断水せずに、掃除口構造Ｓを敷設することも、可能となる。
【００４３】
そして、実施形態では、締結手段２４が、横主管８の周方向ＣＤに沿って配置されて、蓋体２１とともに横主管８の外周面１０に当接させ、かつ、内周面を縮径可能な円環状の複数のクランプ２５、から構成するとともに、クランプ２５が、それぞれ、ヒンジ２６で相互に連結された半割り円筒状の一対の把持杆２７，２８を備えるとともに、一対の把持杆２７，２８におけるヒンジ２６から離れた開放端２７ａ，２８ａ側相互をねじ２９止めして、内周側を縮径させるヒンジクランプから、構成されている。
【００４４】
そのため、実施形態では、各ヒンジクランプ２５が、一対の把持杆２７，２８の開放端２７ａ，２８ａ側相互を、スペーサ３１を間にして、当接させるように、ナット３０を利用して、ねじ２９止めすれば、縮径に伴う蓋体２１の外周縁２１ａにおける掃除口１５の周縁１４への圧接力を、配置された各部位（蓋体２１の前後端付近）で均等にできて、その結果、各ヒンジクランプ２５に締め付けられた蓋体２１が、安定した水密性能を発揮して、掃除口１５を閉塞することができる。
【００４５】
なお、実施形態では、ねじ２９止め時、一対の把持杆２７，２８の開放端２７ａ，２８ａ側相互を、スペーサ３１を間にして、当接させる場合を示したが、スペーサ３１を介在させること無く、直接、開放端２７ａ，２８ａ側相互を当てるように、ねじ２９止めしてもよい。
【００４６】
また、実施形態では、図２に示すように、配管ピット２に敷設された横主管８の上流部位側に、掃除口構造Ｓを設けた場合を示したが、図２の二点鎖線に示すように、卵殻Ｃが堆積し易い部位であれば、センターコアの近傍や排水枡６の近傍の横主管８の部位に、掃除口構造Ｓを設けても良い。
【００４７】
さらに、実施形態では、蓋体２１の閉塞位置を規定する位置決め用目印１９を、型紙シート１７の外周縁１７ａから形成したが、他に、印刷等により型紙シート１７の表面側に、記号や線図等による位置決め用目印１９を、設けても良い。
【００４８】
勿論、型紙シート１７を利用せずに、既設の横主管８に掃除口１５を孔開け加工して形成してもよく、その際には、掃除口１５の形成後、あるいは、形成前に、掃除口１５を閉塞できる位置に的確に蓋体２１を配置できるように、別途、掃除口１５の周縁１４となる位置に、位置決め用目印１９を設けてもよい。
【００４９】
さらに、実施形態では、蓋体２１の下面２１ｂにシールゴム２２を設けずに、型紙シート１７自体を、ゴム状弾性体から形成して、型紙シート１７自体によって、閉塞時の蓋体２１における掃除口１５の周縁１４に対する水密性能を発揮できるように、構成してもよい。
【符号の説明】
【００５０】
５…処理槽、
８…横主管、
１１…上側部位、
１４…周縁、
１５…掃除口、
１７…型紙シート、
１８…孔開け用目印、
１９…位置決め用目印、
２１…蓋体、
２４…締結手段、
２５…クランプ、
２６…ヒンジ、
２７，２８…把持杆、
２７ａ，２８ａ…開放端、
２９…ねじ、
Ｃ…卵殻、
Ｓ…掃除口構造。
【図１】
0005635317.tif 000002
【図２】
0005635317.tif 000003
【図３】
0005635317.tif 000004
【図４】
0005635317.tif 000005
【図５】
0005635317.tif 000006
【図６】
0005635317.tif 000007
【図７】
0005635317.tif 000008
【図８】
0005635317.tif 000009